(57)【特許請求の範囲】
【請求項１】
建物の周囲の公共空間を含む生活空間域（Ａ）の上部を覆うフレーム（４，７）に、多数の植物栽培床（５，８）を並置して、前記生活空間域（Ａ）と外部との相互干渉を調整するための環境調整用の植生域（Ｇ１）を配置すると共に、前記植生域（Ｇ１）における各植物栽培床（５，８）の間に、前記生活空間域（Ａ）とその外部とを連通する隙間（６，９）を設け、その植生域（Ｇ１）における隙間（９）の水平距離が調整可能であり、前記隙間（９）の水平距離を調整することにより、前記生活空間域（Ａ）への日射量や風量が変更可能である環境改善設備。
【請求項２】
前記生活空間域（Ａ）の横側部のフレーム（４，７）にも、多数の植物栽培床（５，８）を並置して、前記生活空間域（Ａ）と外部との相互干渉を調整するための第２の環境調整用の植生域（Ｇ２）を配置すると共に、前記第２の環境調整用の植生域（Ｇ２）における各植物栽培床（５，８）の間に、前記生活空間域（Ａ）とその外部とを連通する隙間（６，９）を設けてある請求項１記載の環境改善設備。
【発明の詳細な説明】
【０００１】
【産業上の利用分野】
本発明は、住宅が林立する住宅街や、オフィスビルや飲食店などが混在する雑居街、公園など、主として大きな生活空間域の環境を改善する技術に関する。
【０００２】
【従来の技術】
環境改善技術として従来では、空調設備が知られている。
【０００３】
【発明が解決しようとする課題】
しかし、上記従来の技術によるときは、日射などにより変動する冷房負荷の大小に応じて空調設備の能力を調整することにより建物内などの生活空間域を快適な温度や湿度に制御するものであるから、すなわち、例えば冷房負荷に応じた熱量を建物外に放熱することにより夏期冷房を行うから、入熱する冷房負荷によってランニングコストが左右され、日射が強くて冷房負荷が非常に大きい猛暑夏期冷房時にはランニングコストが非常に高く付くという欠点があった。しかも、建物内などは快適環境に維持することができるものの、その際、負荷に応じた温熱の熱量を空調対象域である建物周囲に放熱するから、建物周囲の道路や公園などの公共空間の熱負荷が日射などの自然負荷と放熱による負荷との和となって増大し、ヒートアイランド現象を招来するという欠点があった。
本発明の目的は、植生の機能を有効利用することにより建物内のみならず、その建物周囲の道路や公園等の公共空間を含めた全体環境を改善して冷房負荷を低減する点にある。
【０００４】
【課題を解決するための手段】
本発明の第１発明による環境改善設備の特徴は、建物の周囲の公共空間を含む生活空間域の上部を覆うフレームに、多数の植物栽培床を並置して、前記生活空間域と外部との相互干渉を調整するための環境調整用の植生域を配置すると共に、前記植生域における各植物栽培床の間に、前記生活空間域とその外部とを連通する隙間を設け、その植生域における隙間の水平距離が調整可能であり、前記隙間の水平距離を調整することにより、前記生活空間域への日射量や風量が変更可能である点にある。
【０００５】
本発明の第２発明による環境改善設備の特徴は、上記第１発明において、前記生活空間域の横側部のフレームにも、多数の植物栽培床を並置して、前記生活空間域と外部との相互干渉を調整するための第２の環境調整用の植生域を配置すると共に、前記第２の環境調整用の植生域における各植物栽培床の間に、前記生活空間域とその外部とを連通する隙間を設けてある点にある。
【０００８】
【作用】
上記第１発明によれば、冷房負荷の大本となる建物を覆う生活空間域への日射を、生活空間域の上部に配置した植生域により制限することができるのみならず、植生域に設けた前記生活空間域とその外部とを連通する隙間が換気用通路になって、建物内のみならず、その建物周囲の道路や公園等公共空間を含めた全体環境を改善することができ、冷房負荷を低減することができる。しかも、同時に、植生の持つ大気・水浄化機能、ＣＯ２固定機能、Ｏ２放出機能を利用して、大気・水の浄化、酸素・二酸化炭素の適正濃度化を図ることができる。そして、植物栽培床の数を調整することにより、植生域による日射制限性能や防風性能、浄化性能などの各種の性能を調整することができ、しかも、植生域の管理を、植物栽培床毎に行うことにより容易に行うことができ、さらに、植生域における隙間の水平距離を調整することによって、植生域を通しての日射量や、風量を容易に変更することができる。
【０００９】
上記第２発明によれば、より一層、冷房負荷を低減することができるとともに、大気・水環境を改善することができる。
【００１１】
【発明の効果】
従って本発明によれば、冷房負荷を低減することができて、ヒートアイランド現象を防止することができ、しかも、生活空間域を建物内のみならず、その建物周囲の道路や公園等公共空間にまで広げることにより、公共空間をも含めて全体環境を改善することができるようになった。そして、植生域における隙間の水平距離を調整することによって、より一層快適な環境に改善することができる。
【００１２】
【実施例】
図１に示すように、建物１及びその周囲の道路２や公園３など比較的広い生活空間域Ａを改善するための設備であって、前記生活空間域Ａの上部に、その生活空間域Ａと外部との相互干渉を調整するための環境調整用の植生域Ｇ１を配置すると共に、前記植生域Ｇ１に、前記生活空間域Ａとその外部とを連通する隙間６，９を設け、かつ、前記生活空間域Ａの横側部にも、その生活空間域Ａと外部との相互干渉を調整するための環境調整用の第２の植生域Ｇ２を配置して構成されている。
前記両種の植生域Ｇ１，Ｇ２は、ともに、図２に示すように、固定域部Ｆ１，Ｆ２と可動域部Ｂ１，Ｂ２とに区画構成されている。
前記固定域部Ｆ１，Ｆ２は、図３に示すように、固定フレーム４に複数の長尺な植物栽培床５を縦方向に間隔を隔てて固定設置することにより構成されており、比較的大きな樹木を栽培対象とするものであり、隣合う各植物栽培床５間の隙間６が採光及び換気用の通路となっている。植物栽培床５は、矩形の皿状容器に土壌を入れて構成されている。
前記可動域部Ｂ１，Ｂ２は、図４に示すように、前記固定フレーム４に対して横軸芯Ｘ周りで回転起伏自在な可動フレーム７に、複数の植物栽培床８を縦横に配置して装着することで構成されており、比較的小さな樹木や草花などを栽培対象とするものであり、同様に隣合う各植物栽培床８間の隙間９が採光及び換気用の通路となっている。前記植物栽培床８は、鉢状容器内に土壌を入れて構成されている。なお、可動フレーム７を起伏させる手段としては、具体例を挙げないが、揚重などの各種の手段を採用することができ、また、起伏させるにあったては、可動フレーム７の自由端側をつり上げたり、持ち上げたりすることが動力面で有利である。
そして、前記可動フレーム７に縦方向に間隔を隔てて装着される横向き姿勢の複数の軸部材１０に、同じ横列上に位置する植物栽培床８を、その重心を軸部材１０よりも下方に位置させる状態で取り付けられて、可動フレーム７に対する軸部材１０毎の回転、或いは、軸部材１０に対する回転により、可動フレーム７の起伏姿勢にかかわらず、各植物栽培床８を樹木を鉛直にさせる水平姿勢に維持するように構成されている。
前記植物栽培床８の軸部材１０への取付形態としては、図５に示すように、軸部材１０を貫通させる状態に軸部材１０に取り付ける形態や、図６に示すように、軸部材１０に吊り支持される状態に取り付ける形態などを挙げることができる。
上記の構成によれば、可動フレーム７の起伏により、軸部材１０の水平距離、つまり、植物栽培床８の縦方向の隙間９の大きさが変化し、採光及び換気の通路の幅が変化する。なお、図示しないが、植物栽培床５，８への給水手段（特に常設タイプ）を設けて実施することが好ましい。この場合、可動フレーム７に装着される植物栽培床８については、可動フレーム７の起伏、つまり、高さ変更にかかわらず、各植物栽培床８への給水量を均一化する機構を設けると一層好ましいが、なくても良い。また、傾斜姿勢の第２の植生域Ｇ２下方にある三角形の空間は、高さ面で建物の設置には余り好ましく利用することができないが、駐車場や広場、公園などには有効に利用することができる。
【００１３】
〔別実施例〕
上記実施例では、植生域Ｇ１，Ｇ２を固定域部Ｆ１，Ｆ２と可動域部Ｂ１，Ｂ２とに分割構成したが、植生域Ｇ１，Ｇ２の全部を固定域や可動域に構成して実施しても良い。
上記実施例では、可動域部Ｂ１，Ｂ２の植物栽培床８として鉢状のものを示したが、固定域部Ｆ１，Ｆ２の植物栽培床５と同様に長尺なものであっても良い。上記実施例では、可動フレーム７を起伏させることにより、隣合う植物栽培床８の隙間９を調整することで採光量や換気量を調整するように構成したが、図７の（イ）（ロ）、図８の（イ）（ロ）に示すように、可動域部Ｂ１，Ｂ２をスライドさせることにより、固定域部Ｆ１，Ｆ２の隙間Ｄを採光及び換気通路とし、かつ、可動域部Ｂ１，Ｂ２をシャッターとして、採光量や換気量を調整するように構成しても良い。
【００１４】
尚、特許請求の範囲の項に図面との対照を便利にするために符号を記すが、該記入により本発明は添付図面の構成に限定されるものではない。
【図面の簡単な説明】
【図１】概念図
【図２】要部の概略斜視図
【図３】固定域部要部の概略断面図
【図４】可動域部要部の概略断面図
【図５】植物栽培床の支持構造を示す要部の概略斜視図
【図６】植物栽培床の支持構造を示す要部の概略斜視図
【図７】別の実施例を示す要部（植生域）の概略断面図
【図８】別の実施例を示す要部（第２の植生域）の概略断面図
【符号の説明】
Ａ      生活空間域
Ｇ１    植生域
Ｇ２    第２の植生域
４，７ フレーム
５，８ 植物栽培床
６，９  隙間
【図１】
0003770623.tif 000002
【図２】
0003770623.tif 000003
【図３】
0003770623.tif 000004
【図４】
0003770623.tif 000005
【図５】
0003770623.tif 000006
【図６】
0003770623.tif 000007
【図７】
0003770623.tif 000008
【図８】
0003770623.tif 000009